(57)【特許請求の範囲】
【請求項１】
長手方向に延びるロッド部と前記ロッド部の外周上に配置されたリールシートを備え、前記リールシートが、第１端と第２端を有する一体のリールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿であって、
前記リールシート本体には、更に、前記第１リール脚固定部と第２リール脚固定部の少なくとも一方の領域で、前記第１端と第２端より離れた領域に備えられ、リール脚部が取り付けられた際に、前記第１リール脚固定部と第２リール脚固定部の少なくとも一方により前記リール脚部に加えられた力を前記ロッド部に対して伝達することができる、切り込みにより形成された弾性部が設けられ、これにより、前記リールシートは、前記力が伝達されるまでロッド部の外周上をスライド可能であり、
前記第１操作部は前記第１リール脚固定部に対して相対回転可能であり、
前記リールシート本体の第２領域の外周面には第３ネジ部が形成され、前記第２フードは、前記第２リール脚固定部に対して相対回転可能の第２操作部を備え、前記第２操作部は前記第３ネジ部と螺合する第４ネジ部を有し、前記弾性部は前記第１リール脚固定部の領域に形成された第１弾性部と、前記第２リール脚固定部の領域に形成された第２弾性部を有する釣り竿。
【請求項２】
前記切り込みは平面視でＵ字型である請求項１の釣り竿。
【請求項３】
前記切り込みは平面視でコの字型である請求項１の釣り竿。
【請求項４】
前記第１弾性部は、前記リールシート本体に形成された、脚部を有して前記長手方向に沿う第１方向に開くＵ字型の切り込みにより形成され、前記第２弾性部は、脚部を有して前記第１方向とは反対の第２方向に開くＵ字型の切り込みにより形成される請求項１記載の釣り竿。
【請求項５】
前記第１弾性部は、前記リールシート本体に形成された、脚部を有して前記長手方向に沿う第１方向に開くコの字型の切り込みにより形成され、前記第２弾性部は、脚部を有して前記第１方向とは反対の第２方向に開くコの字型の切り込みにより形成される請求項１記載の釣り竿。
【請求項６】
前記第１弾性部を形成する切り込みの前記脚部の前記第１方向の先端と、前記第２弾性部を形成する切り込みの前記脚部の前記第２方向の先端の間の距離は、前記第１弾性部の前記第２方向の先端と、前記第２弾性部の前記第１方向の先端との距離の４０％以下で５％以上である請求項４又は５のいずれかに記載の釣り竿。
【請求項７】
前記第１弾性部を形成する切り込みの前記脚部の前記第１方向の先端と、前記第２弾性部を形成する切り込みの前記脚部の前記第２方向の先端の間の距離は、前記第１弾性部の前記第２方向の端部と、前記第２弾性部の前記第１方向の端部との距離の３０％以下で１０％以上である請求項４又は５のいずれかに記載の釣り竿。
【請求項８】
前記弾性部は、周方向に延びる切り込みにより形成されている請求項１の釣り竿。
【請求項９】
前記リールシート本体の前記弾性部が形成される領域とは反対側の領域に、前記リールシートの長手方向に延びる溝が形成され、前記第１リール脚固定部と第２リール脚固定部の少なくとも一方には、前記溝と係合する突起が形成されている請求項１の釣り竿。
【請求項１０】
前記第１と第２リール脚固定部のいずれか一方には、トリガーが形成されている請求項１の釣り竿。
【請求項１１】
コルク層が前記ロッド部の表面に設けられている請求項１の釣り竿。
【請求項１２】
前記第１操作部の外面には指操作のための摩擦面が形成されている請求項１の釣り竿。
【請求項１３】
前記リールシート本体は樹脂製である請求項１の釣り竿。
【請求項１４】
前記リールシート１の少なくとも一部はアルミ合金製である請求項１の釣り竿。
【請求項１５】
前記リールシート１の少なくとも一部はチタン製である請求項１の釣り竿。
【請求項１６】
第１端と第２端を有する一体のリールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿用リールシートであって、
前記リールシート本体には、更に、前記第１リール脚固定部と第２リール脚固定部の少なくとも一方の領域で、前記第１端と第２端より離れた領域に備えられ、リール脚部が取り付けられた際に、前記第１リール脚固定部と第２リール脚固定部の少なくとも一方により前記リール脚部に加えられた力で弾性的に変位することができる、切り込みにより形成された弾性部が設けられており、かつ、前記第１操作部は前記第１リール脚固定部に対して相対回転可能であり、
前記リールシート本体の第２領域の外周面には第３ネジ部が形成され、前記第２フードは、前記第２リール脚固定部に対して相対回転可能の第２操作部を備え、前記第２操作部は前記第３ネジ部と螺合する第４ネジ部を有し、前記弾性部は前記第１リール脚固定部の領域に形成された第１弾性部と、前記第２リール脚固定部の領域に形成された第２弾性部を有する釣り竿用リールシート。
【請求項１７】
前記切り込みは平面視でＵ字型である請求項１６の釣り竿用リールシート。
【請求項１８】
前記切り込みは平面視でコの字型である請求項１６の釣り竿用リールシート。
【発明の詳細な説明】
【技術分野】
【０００１】
本発明は、釣り竿と釣り竿用リールシート、特に、位置調節可能のリールシートと、そのようなリールシートを備える釣り竿に関する。
【背景技術】
【０００２】
リールを釣り竿に取り付けるためのリールシートを備える従来の釣り竿は、例えば、特許文献１で開示されていた。このリールシートは、リールの脚部の前後方向に延びる部分を、一対のフードにより、釣り竿に対して締め付けることにより固定する部材である。しかし、従来、リールシートは釣り竿に対して位置調節可能ではなかった。
【０００３】
リールシートを位置調節可能にすることにより以下のようなメリットがある。リールを、釣る目的の魚に最適な位置に合わせることができる。更に、リールの重さに応じて、リールを取り付けた際の釣り竿全体のバランスを個人の好みに合わせることができる。従来のリールシートを備える釣り竿では、リールシートの位置調節が可能でなかったため、このようなメリットを有さなかった。
【特許文献１】特開平０５−０３８２４４
【発明の開示】
【０００４】
本願発明の目的は、位置調節可能のリールシートや、そのようなリールシートを備える釣り竿を提供することにある。
本発明の第１の特徴によると、長手方向に延びるロッド部と前記ロッド部の外周上に配置されたリールシートを備え、前記リールシートが、第１端と第２端を有する一体のリールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿であって、
前記リールシート本体には、更に、前記第１リール脚固定部と第２リール脚固定部の少なくとも一方の領域で、前記第１端と第２端より離れた領域に備えられ、リール脚部が取り付けられた際に、前記第１リール脚固定部と第２リール脚固定部の少なくとも一方により前記リール脚部に加えられた力を前記ロッド部に対して伝達することができる、切り込みにより形成された弾性部が設けられ、これにより、前記リールシートは、前記力が伝達されるまでロッド部の外周上をスライド可能であり、かつ、第１の特徴に加え、前記第１操作部は前記第１リール脚固定部に対して相対回転可能であり、
前記リールシート本体の第２領域の外周面には第３ネジ部が形成され、前記第２フードは、前記第２リール脚固定部に対して相対回転可能の第２操作部を備え、前記第２操作部は前記第３ネジ部と螺合する第４ネジ部を有し、前記弾性部は前記第１リール脚固定部の領域に形成された第１弾性部と、前記第２リール脚固定部の領域に形成された第２弾性部を有する。
【０００５】
従って、ロッド部の外周上をスライド可能であるリールシートが設けられ、更に、そのリールシートの本体に弾性部が設けられている。リール脚部が取り付けられた際に、第１操作部を操作すると、リール脚部に対する固定力が弾性部を介してロッド部に伝達される。この結果、弾性部とロッド部の間の摩擦力により、リールシートをロッド部に対して固定することができる。
従って、簡単な構造により位置調節可能なリールシートを備える釣り竿を提供することが可能となる。
例えば、第１操作部を第１リール脚固定部に対して相対回転可能にすることにより、第１操作部を操作してリール脚固定部によりリール脚部を固定する場合、第１リール脚固定部がリール脚部に対して接当しながら回転する必要がなくなる。これによりリール脚の固定が容易となる。また、第１弾性部に加え、第２弾性部を形成することにより、リールシート本体のロッド部に対する固定を、より強いものとすることができる。
【０００６】
本発明の第２の特徴によると、第１の特徴に加え、前記切り込みは平面視でＵ字型である。切り込みを平面視でＵ字型にすることで、容易に弾性部の形成を行うことができる。
【０００７】
本発明の第３の特徴によると、第１の特徴に加え、前記切り込みは平面視でコの字型である。切り込みをコの字型にすることによっても、弾性部の形成を容易にできる。
【０００８】
本発明の第４の特徴によると、第１の特徴に加え、前記第１弾性部は、前記リールシート本体に形成された、脚部を有して前記長手方向に沿う第１方向に開くＵ字型の切り込みにより形成され、前記第２弾性部は、脚部を有して前記第１方向とは反対の第２方向に開くＵ字型の切り込みにより形成される。
切り込みをＵ字型にすることで第１と第２弾性部の形成を容易にすることができる。
【０００９】
本発明の第５の特徴によると、第１の特徴に加え、前記第１弾性部は、前記リールシート本体に形成された、脚部を有して前記長手方向に沿う第１方向に開くコの字型の切り込みにより形成され、前記第２弾性部は、脚部を有して前記第１方向とは反対の第２方向に開くコの字型の切り込みにより形成される。
切り込みをコの字型にすることによっても、第１と第２弾性部の形成を容易にすることができる。
【００１０】
本発明の第６の特徴によると、第４と第５の特徴のいずれか一方に加え、前記第１弾性部を形成する切り込みの前記脚部の前記第１方向の先端と、前記第２弾性部を形成する切り込みの前記脚部の前記第２方向の先端の間の距離（Ｄ１）は、前記第１弾性部の前記第２方向の先端と、前記第２弾性部の前記第１方向の先端との距離（Ｄ２）の４０％以下で５％以上である。
【００１１】
Ｄ１をＤ２に対して小さくすると、各弾性部が長くなり柔軟性が高くなる。しかし、Ｄ１をＤ２に対して小さくし過ぎると、弾性部の強度が低くなる。Ｄ１がＤ２の４０％以下で５％以上であるとこれらの２つの要因である柔軟性と強度のバランスが取れて良い。
【００１２】
本発明の第７の特徴によると、第４と第５の特徴のいずれか一方に加え、前記第１弾性部を形成する切り込みの前記脚部の前記第１方向の先端と、前記第２弾性部を形成する切り込みの前記脚部の前記第２方向の先端の間の距離は、前記第１弾性部の前記第２方向の端部と、前記第２弾性部の前記第１方向の端部との距離の３０％以下で１０％以上である。
上記の理由により、Ｄ１がＤ２の３０％以下で１０％以上であると柔軟性と強度の、より良いバランスが取れて良い。
【００１３】
本発明の第８の特徴によると、第１の特徴に加え、前記弾性部は、ほぼ周方向に延びる切り込みにより形成されている。
切り込みを周方向に延びるよう形成することにより、非常に簡単に弾性部を形成することが可能である。
【００１４】
本発明の第９の特徴によると、第１の特徴に加え、前記リールシート本体の前記弾性部が形成される領域とは反対側の領域に、前記リールシートの長手方向に延びる溝が形成され、前記第１リール脚固定部と第２リール脚固定部の少なくとも一方には、前記溝と係合する突起が形成されている。
前記溝と突起の係合により、リールシート本体、従って、弾性体に対する脚固定部の周方向の位置が自動的に決定されるため、脚固定部のリールと接当する面が常に弾性部の領域に配置されるため都合が良い。
【００１５】
本発明の第１０の特徴によると、第１の特徴に加え、前記第１と第２リール脚固定部のいずれか一方には、トリガーが形成されている。トリガーをリール脚固定部に形成することにより、トリガーを別部材として形成するよりも部品点数を減らすことができる。リール脚固定部に一体的に形成することにより、トリガーの強度が向上する。
【００１６】
本発明の第１１の特徴によると、第１の特徴に加え、コルク層が前記ロッド部の表面に設けられている。
このような構造により、弾性部の下面がコルク層と接当することになる。このため、弾性部がコルク層に力を掛けると、コルク層がその弾性により凹み、リールシートが釣り竿に対してより強固に固定される。
【００１７】
本発明の第１２の特徴によると、第１の特徴に加え、前記第１操作部の外面には指操作のための摩擦面が形成されている。
摩擦面が操作部に設けられていることにより、指による操作が容易となる。
【００１８】
本発明の第１３の特徴によると、第１の特徴に加え、前記リールシート本体は樹脂製である。
リールシート本体を樹脂製とすることにより、リールシート本体や弾性部の形成が容易となる。
【００１９】
本発明の第１４の特徴によると、第１の特徴に加え、前記リールシートの少なくとも一部はアルミ合金製である。
リールシートの一部をアルミ合金で製造することにより、軽くて強度の高い部品を得ることが可能となる。
【００２０】
本発明の第１５の特徴によると、第１の特徴に加え、前記リールシートの少なくとも一部はチタン製である。
リールシートの一部をチタンで製造することによっても、軽くて強度の高い部品を得ることが可能となる。
【００２１】
本発明の第１６の特徴によると、  第１端と第２端を有する一体のリールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿用リールシートであって、
前記リールシート本体には、更に、前記第１リール脚固定部と第２リール脚固定部の少なくとも一方の領域で、前記第１端と第２端より離れた領域に備えられ、リール脚部が取り付けられた際に、前記第１リール脚固定部と第２リール脚固定部の少なくとも一方により前記リール脚部に加えられた力で弾性的に変位することができる、切り込みにより形成された弾性部が設けられており、かつ、前記第１操作部は前記第１リール脚固定部に対して相対回転可能であり、
前記リールシート本体の第２領域の外周面には第３ネジ部が形成され、前記第２フードは、前記第２リール脚固定部に対して相対回転可能の第２操作部を備え、前記第２操作部は前記第３ネジ部と螺合する第４ネジ部を有し、前記弾性部は前記第１リール脚固定部の領域に形成された第１弾性部と、前記第２リール脚固定部の領域に形成された第２弾性部を有する。
【００２２】
従って、釣り竿に取り付けられた際、釣り竿の外周上をスライド可能であるリールシートの本体に弾性部が設けられている。リール脚部が取り付けられた際に、第１操作部を操作すると、弾性部が変位し、リール脚部に対する固定力が釣り竿に伝達される。この結果、弾性部と釣り竿の間の摩擦力により、リールシートをロッド部に対して固定することができる。
従って、簡単な構造により、釣り竿上で位置調節可能なリールシートを提供することができる。
例えば、第１操作部を第１とリール脚固定部に対して相対回転可能にすることにより、第１操作部を操作してリール脚固定部によりリール脚部を固定する場合、第１リール脚固定部がリール脚部に対して接当しながら回転する必要がなくなる。これによりリール脚の固定が容易となる。また、第１弾性部に加え、第２弾性部を形成することにより、釣り竿に取り付けられた際に、リールシート本体の釣り竿に対する固定を、より強いものとすることができる。
【００２３】
本発明の第１７の特徴によると、第１６の特徴に加え、前記切り込みは平面視でＵ字型である。切り込みを平面視でＵ字型にすることで弾性部の形成を容易にすることができる。
【００２４】
本発明の第１８の特徴によると、第１６の特徴に加え、前記切り込みは平面視でコの字型である。
【発明を実施するための最良の形態】
【００２５】
次に、図を参照して本発明による位置調節可能のリールシートの複数の実施例を説明する。尚、異なる実施例で開示される特徴は、別の実施例で開示される特徴を、矛盾が無い限り組み合わせることができ、そのような組み合わせは本発明の範囲に入る。
〔実施例１〕
【００２６】
図１では、本発明の実施例１によるリールＡを取り付けるためのリールシート１を備える釣り竿が示されている。この釣り竿はリアグリップ部Ｇ１、リールシート１、フロントグリップ部Ｇ２、フロントグリップ部Ｇ２の前側へ延びる釣り竿本体２を備えている。本明細書では、釣り竿の先端側を前側、釣り人が握るリアグリップＧ１がある端部側を後側と呼び、釣り竿の各部品に関してもこれに沿って前と後が定義される。
【００２７】
本発明によるリールシート１は、釣り竿の半径がほぼ変化しない領域において、前後の方向（図１の矢印で示される長手方向）にスライド可能である。本明細書においては、釣り竿のこのリールシート１がスライド可能の部分をロッド部Ｒと呼ぶ。この実施例においてはロッド部Ｒは、その前端と後端の間で、一体的に連続している。
【００２８】
リールシート１を次に説明する。図２では、左が前方向である。
図２に示すとおり、リールシート１は、大きく分けて、第１フード１０と第２フード２０と、全体的に筒状のリールシート本体１Ａを有する。リールシート本体１Ａは、好適には樹脂製である。第１フード１０と第２フード２０は、アルミ合金やチタン等の金属で製造することが好ましい。しかし、リールシート本体１Ａをアルミ合金やチタン等の金属で製造しても良く、又、第１フード１０と第２フード２０を樹脂で製造しても良い。
【００２９】
リールシート本体１Ａには、その後端の領域に第１ネジ部Ｔ１が形成されており、その前端の領域に第３ネジ部Ｔ３が形成されている。
リールシート本体１Ａの前端と後端の間の領域には、弾性的に変位が可能の第１弾性部Ｅ１と第２弾性部Ｅ２が形成されている。図３で最も明確に示されるとおり、第１弾性部Ｅ１は、前方に開く一対の脚部３を有するＵ字型の切り込みにより形成されている。脚部３の先端は４の参照番号で示されている。同様に、第２弾性部Ｅ２は、後方に開く一対の脚部５を有するＵ字型の切り込みにより形成されている。脚部５の先端は６の参照番号で示されている。図２や図６で示されるとおり、リールシート本体１Ａの第１弾性部Ｅ１と第２弾性部Ｅ２にまたがる領域には、平坦な接当部１ｂが形成されている。この接当部１ｂは、リール脚部Ｌの底面に設けられた凹形状の面に接当する。
【００３０】
図３で示されるとおり、第１弾性部Ｅ１の脚部３の先端４と第２弾性部Ｅ２の脚部５の先端６の間の距離はＤ１である。第１弾性部Ｅ１の後方の端部７と第２弾性部Ｅ２の前方の端部８の間の距離はＤ２である。Ｄ１をＤ２に対して小さくすると、第１弾性部Ｅ１と第２弾性部Ｅ２がより柔軟となる。しかし、Ｄ１が小さくなりすぎると、第１弾性部Ｅ１又は第２弾性部Ｅ２が破損する可能性が高くなる。従って、Ｄ１を小さくし過ぎることは好ましくない。従って、Ｄ１はＤ２の５％以上で４０％以下である（すなわちＤ１／Ｄ２は０．０５以上で０．４０以下である）ことが好ましく、１０％以上で３０％以下である（すなわちＤ１／Ｄ２は０．１以上で０．３０以下である）と、より好ましい。
【００３１】
図２で示されるとおり、第１フード１０は、第１リール脚固定部１１と第１操作部１６を有する。図４、及び、図５で示されるとおり、第１リール脚固定部１１の前方部分はその後方部分より径方向外側に広がる形状を有し、内側には、リールの脚部Ｌの後方に延びる部分Ｌ１の上面と接当する傾斜面である第１接当面１２を有する。
【００３２】
第１操作部１６の外側面には、指で操作しやすいように、長手方向に延びる多数の溝が形成された摩擦面が形成されている。第１操作部１６の内側面には前記第１ネジ部Ｔ１と螺合する第２ネジ部Ｔ２が形成されている。従って、第１操作部１６を右回りに回転することにより第１フード１０を、リールシート本体１Ａに対して前方に移動させることができる。
【００３３】
図５で示されるとおり、第１リール脚固定部１１の後端には、大径部１４とこの大径部１４より半径の小さな中径部１５が設けられている。更に、この大径部１４と中径部１５に対応する形状を有する先端部が前記第１操作部１６の先端に設けられている。このような構造により、第１リール脚固定部１１と第１操作部１６は相対的に回転可能に接続され
ている。図７で示される通り、第１リール脚固定部１１の内面には径方向内方に突出する突起１１ａが設けられ、この突起１１ａが、図６で示される、リールシート本体１Ａの外面に設けられた長手方向に延びる溝１ａと係合することにより、第１リール脚固定部１１がリールシート本体１Ａに対して回転することなく長手方向に移動することができる。第１リール脚固定部１１には、筒状の内面１３が形成されている。この内面は、ロッド部１０の外径とほぼ同じか、これより少し径が大きくなるよう形成されている。
【００３４】
第１リール脚固定部１１には図２や図４で示されるとおり、トリガー（trigger）３０が一体的に形成されている。
図２で示されるとおり、第２フード２０は、第２リール脚固定部２１と第２操作部２６を有する。図４で示されるとおり、第２リール脚固定部２１の後方部分はその前方部分より径方向外側に広がる形状を有し、内側には、リールの脚部Ｌの前方に延びる部分Ｌ２の上面と接当する傾斜面である第２接当面２２を有する。
【００３５】
第２操作部２６の外側面には、長手方向に延びる多数の溝が形成された摩擦面が形成されている。第２操作部２６の内側面には、リールシート本体１Ａに形成された前記第３ネジ部Ｔ３と螺合する第４ネジ部Ｔ４が形成されている。従って、第２操作部２６を回転することにより第２フード２０を、リールシート本体１Ａに対して後方に移動させることができる。
【００３６】
第１リール脚固定部１１と第１操作部１６の相対回転を許す構造と同様の構造を有することにより、第２リール脚固定部２１と第２操作部２６は相対回転可能である。また、第２リール脚固定部２１の内面には径方向内方に突出する突起（図示せず）が設けられ、この突起が、図６で示される、リールシート本体１Ａの外面に設けられた長手方向に延びる溝１ａと係合することにより、第２リール脚固定部２１がリールシート本体１Ａに対して、回転することなく長手方向に移動することができる。第２リール脚固定部２１には、筒状の内面２３が形成されている。この内面は、ロッド部１０の外径とほぼ同じか、これより少し径が大きくなるよう形成されている。
【００３７】
次に、リールをリールシート１により固定する手順を説明する。
先ず、ロッド部Ｒに対してリールシート１を長手方向に希望する位置まで移動する。次に、図４のように、リールの脚部Ｌの前方に延びる部分Ｌ２を、第２リール脚固定部２１の内面の下に入り込ませ、第２接当面２２と接当させる。次に、第１操作部１６を回転することにより、第１フード１０を前方向に移動させることにより、第１フード１０の第１接当面１２をリールの脚部Ｌの後方に延びる部分Ｌ１の上面に接当させる。その後、更に第１操作部１６を回転することにより、第１接当面１２がリールの脚部Ｌの後方に延びる部分Ｌ１に対して図５のＦ１で示される力を加える。この力はリールの部分Ｌ１を介して、第１弾性部Ｅ１に力Ｆ２として伝達される。第１弾性部Ｅ１の弾性により、この力Ｆ２はＦ３として、ロッド部Ｒに対して加えられる。この力Ｆ３により、第１弾性部Ｅ１の内面とロッド部Ｒの間に摩擦力が発生することにより、又は、この摩擦力が増大することにより、リールシート１がロッド部Ｒに対して固定される。
【００３８】
上で記載されるとおり、リールの脚部Ｌの前方に延びる部分Ｌ２が、第２リール脚固定部２１の第２接当面２２に対して接当している状態で、更に、第１操作部１６を回転することにより、第１フード１０を前方向に移動させると、第２接当面２２は、リールの脚部Ｌの前方に延びる部分Ｌ２の上面に対して下方向の成分を有する力を加える。従って、上記のＦ１〜Ｆ３と同様の力が、第２接当面２２とリールの脚部Ｌの前方に延びる部分Ｌ２の上面の間、リールの脚部Ｌの前方に延びる部分Ｌ２と第２弾性部Ｅ２の間、更に、第２弾性部Ｅ２とロッド部Ｒの間で発生し、第２弾性部Ｅ２ロッド部Ｒの間で摩擦力が発生する、又は、摩擦力が増大する。これにより、リールシート１がロッド部Ｒに対して更に強
固に固定される。
【００３９】
ロッド部Ｒは、図５で示されるとおり、プリプレグで形成される芯部分Ｒ２と、その径方向外側に形成されるコルク層Ｒ１を有する。このように、コルク層Ｒ１がリールシート１に接当することにより、リールシート１とリールの間の摩擦力が増大し、リールをより強固に釣り竿に固定することが可能となる。
切り込みは、リール本体１Ａが樹脂製である場合、注入形成などで一体的に形成することができる。リール本体１Ａが樹脂製や金属製の場合、筒状のリーフ本体１Ａを形成した後、切り込み部をカットすることができる。
〔実施例２〕
【００４０】
次に、本発明の実施例２を図８を使って説明する。この実施例、及び、以下の実施例では、実施例１と同じ部分には同じ参照番号が使用され、同じ部品に関しては説明は繰り返されない。
【００４１】
この実施例２では、第１弾性部Ｅ１に２つの長手方向に延びる切り込み３ａと３ｂが形成されている。それぞれの切り込みの先端４ａと４ｂは、第１弾性部Ｅ１を形成する切り込みの先端４と同じ領域まで延びている。同様に第２弾性部Ｅ２にも、２つの長手方向に延びる切り込み５ａと５ｂが形成されている。それぞれの切り込みの先端６ａと６ｂは、第２弾性部Ｅ２を形成する切り込みの先端６と同じ領域まで延びている。これらの追加された切り込みにより、第１弾性部Ｅ１と第２弾性部Ｅ２がより柔軟になる。
【００４２】
ここで、追加された切り込みを第１弾性部Ｅ１と第２弾性部Ｅ２の一方にのみ備えることも可能である。更に、追加された切り込みの代わりに、長手方向に延びるが、径方向に貫通しない溝を設けることも可能である。他の部品は、実施例１と同じである。
〔実施例３〕
【００４３】
次に、第１弾性部Ｅ１と第２弾性部Ｅ２の内、一方のみが形成されている本発明の実施例３を説明する。
図９で示されるとおり、リールシート本体１Ａに、第１弾性部Ｅ１のみが形成されており、第２弾性部Ｅ２が形成されていない。更に、第２フード２０は、リールシート本体１Ａに、圧入、接着剤、ボルト、溶接、焼き嵌め等の従来の方法で固定されている。他の部分は、実施例１で説明されたとおりである。
このように弾性部が第１弾性部Ｅ１のみで構成されていても、実施例１で説明されたとおり、操作部１６を操作することにより第１フード１０を前方向に移動させることにより、リールシート１の第１弾性部Ｅ１とロッド部Ｒの間で十分な摩擦を発生することが出来、固定することができる。
【００４４】
第２フード２０は、もちろん、実施例１で説明されたとおり、リールシート本体１Ａに対して移動可能に構成してもよい。
また、リールシート本体１Ａに、第２弾性部Ｅ２のみを形成することが可能である。この場合、例えば、図２で示される第１弾性部Ｅ１は形成されない。他の部分は、実施例１で説明されたとおりである。
【００４５】
このように弾性部が第２弾性部Ｅ２のみで構成されていても、実施例１で説明されたとおり、第２リール脚固定部２１の第２接当面２２に対して接当している状態で、第１操作部１６を回転することにより第１フード１０を前方向に移動させると、第２接当面２２は、リールの脚部Ｌの前方に延びる部分Ｌ２の上面に対して下方向の成分を有する力を加える。これにより、図５で示されるＦ１〜Ｆ３と同様の力が、第２接当面２２とリールの脚部Ｌの前方に延びる部分Ｌ２の上面の間、リールの脚部Ｌの前方に延びる部分Ｌ２と第２弾性部Ｅ２の間、更に、第２弾性部Ｅ２の下面とロッド部Ｒの間で発生し、第２弾性部Ｅ２ロッド部Ｒの間で摩擦力が発生する、又は、摩擦力が増大する。これにより、リールシート１がロッド部Ｒに対して十分に固定される。
〔実施例４〕
【００４６】
第１弾性部Ｅ１と第２弾性部Ｅ２が、実施例１のそれぞれの弾性部と形状が異なる実施例４を説明する。
図１０（Ａ）と図１０（Ｂ）で示されるとおり、第１弾性部Ｅ１と第２弾性部Ｅ２は、コの字型に形成されている。すなわち、第１弾性部Ｅ１を形成する切り込みは、一対のほ
ぼ並行の脚部３ｃを有する。同様に、第２弾性部Ｅ２を形成する切り込みは、一対のほぼ並行の脚部５ｃを有する。
【００４７】
この実施例（及び、他の実施例）においても、第１弾性部Ｅ１の脚部３ｃの先端４ｃと第２弾性部Ｅ２の脚部５ｃの先端６ｃの間の距離（Ｄ１）と、第１弾性部Ｅ１の後方の端部７ｃと第２弾性部Ｅ２の前方の端部８ｃの間の距離は（Ｄ２）は次の条件を満足することが好ましい。すなわち、Ｄ１はＤ２の５％以上で４０％以下である（すなわちＤ１／Ｄ２は０．０５以上で０．４０以下である）ことが好ましく、１０％以上で３０％以下である（すなわちＤ１／Ｄ２は０．１以上で０．３０以下である）と、より好ましい。
【００４８】
〔その他の実施例〕
１．図１１に示されるとおり、第１ネジ部Ｔ１を第１弾性部Ｅ１の領域まで設けることが可能である。同様に、第３ネジ部Ｔ３を第２弾性部Ｅ２の領域まで設けることが可能である。
【００４９】
２．図１２（Ａ）、図１２（Ｂ）で示すとおり、弾性部を、実質的にリールシート本体１Ａの周方向に延びる一対の切り込み３ｄ、５ｄで形成することも可能である。切り込みをこのような形状にすることにより、切り込みの形成がより容易となる。
【００５０】
３．図１３（Ａ）、図１３（Ｂ）で示すとおり、第１弾性部Ｅ１と第２弾性部Ｅ２を、それぞれ、側面視で直線状に延びる切り込み３ｅと５ｅにより形成することも可能である。
この場合、平面視での形状はほぼＶ字型となる。切り込みをこのような形状にすることにより、切り込みの形成がより容易となる。
【００５１】
４．取り付けられるリールは、両軸受けリールでも、スピニングリールでも良い。従って、弾性部がリールの下側に位置しても良い。
【００５２】
５．図１４に示されるとおり、第１リール脚固定部１１にはトリガーが形成されていなくとも良い。
【００５３】
６．リール部Ｒのコルク層Ｒ１の代わりにフォームラバー層が設けられても良い。また、ロッド部がプリプレグ等の従来の竿の部材で形成されているものでも良い。
【００５４】
７．図１５で示されるとおり、弾性部の内面の少なくとも一部に例えばゴムの層３５を設けることも可能である。これにより、弾性部とロッド部Ｒの摩擦がより大きくなり、リールをより強固に固定することが出来る。この層３５の素材としては、ゴムに限らず、コルク層など、ロッド部の面との摩擦を増大できる素材であれば良い。
【００５５】
８．図１６で示されるとおり、弾性部の先端部、或いは、他の部分の、ロッド部Ｒと対向する面に、突起３６を設けることが可能である。この突起は、弾性部と一体的に形成されたものでも、弾性部に対して取り付けられた突起でも良い。このような突起を設けると、特にロッド部の外面に比較的柔軟なコルク層やフォームラバー層が設けられている場合、リールをより強固に固定することができる。
【００５６】
９．弾性部は、リールシート本体に一体的に設けられる必要は無く、リールシート本体とは、別体として弾性部を製造した後、リールシート本体に対して、ネジ、接着剤、溶接等の従来の取り付け方法を用いて、取り付けることも可能である。
【産業上の利用可能性】
【００５７】
本発明の釣り竿上で位置調節可能なリールシートはリールを固定するために利用可能で
ある。
【図面の簡単な説明】
【００５８】
【図１】本発明の第１実施例によるリールシートを備えた釣り竿の斜視図
【図２】本発明の実施例１によるリールシートの分解斜視図
【図３】本発明の実施例１によるリールシート本体の平面図
【図４】本発明の実施例１によるリールシートの断面図
【図５】本発明の実施例１によるリールシートの要部の断面図
【図６】本発明の実施例１によるリールシート本体の断面図
【図７】本発明の実施例１によるリール脚固定部の断面図
【図８】本発明の実施例２によるリールシート本体の平面図
【図９】本発明の実施例３によるリールシートの斜視図
【図１０】本発明の実施例４によるリールシートの斜視図
【図１１】他の実施例によるリールシート本体の断面図
【図１２】他の実施例によるリールシート本体の断面図
【図１３】他の実施例によるリールシート本体の断面図
【図１４】他の実施例によるリール脚固定部を示す斜視図
【図１５】他の実施例による弾性部の部分を示す断面図
【図１６】他の実施例による弾性部の部分を示す断面図
【符号の説明】
【００５９】
Ｒ     ロッド部
１     リールシート
１０   第１フード
２０   第２フード
Ｔ１   第１ネジ部
Ｔ２   第２ネジ部
Ｔ３   第３ネジ部
Ｔ４   第４ネジ部
１１   第１リール脚固定部
２２   第２リール脚固定部
Ｅ１   第１弾性部
Ｅ２   第２弾性部
【図１】
0004722049.tif 000002
【図２】
0004722049.tif 000003
【図３】
0004722049.tif 000004
【図４】
0004722049.tif 000005
【図５】
0004722049.tif 000006
【図６】
0004722049.tif 000007
【図７】
0004722049.tif 000008
【図８】
0004722049.tif 000009
【図９】
0004722049.tif 000010
【図１０】
0004722049.tif 000011
【図１１】
0004722049.tif 000012
【図１２】
0004722049.tif 000013
【図１３】
0004722049.tif 000014
【図１４】
0004722049.tif 000015
【図１５】
0004722049.tif 000016
【図１６】
0004722049.tif 000017